(57)【要約】      （修正有）【課題】一眼レフカメラのファインダ光学系へ導く可動反射鏡の機構が、カメラを小型にする為の妨げになっていた。一眼レフを小型にする為の新規な可動反射鏡の機構、配置を提供する。【解決手段】撮影光路１５内に配置される光路内位置と撮影光路内から退避する退避位置との間で移動可能なミラーユニットと、撮影光路内に配置されたミラーユニットにより導かれた被写体からの光束により被写体像が形成される焦点板４と、焦点板上に形成された被写体像を観察するためのファインダ光学系９，１０、１１、１２とを有し、焦点板は、ミラーユニットが退避位置に移動したときに、光路内位置にあるときの位置よりもファインダ光学系側に移動することを特徴とするカメラ。【選択図】  図２
2004246009.tif 000002
【特許請求の範囲】
【請求項１】
撮影光路内に配置される光路内位置と前記撮影光路内から退避する退避位置との間で移動可能なミラーユニットと、
前記撮影光路内に配置されたミラーユニットにより導かれた被写体からの光束により被写体像が形成される焦点板と、
前記焦点板上に形成された被写体像を観察するためのファインダ光学系とを有し、
前記焦点板は、前記ミラーユニットが前記退避位置に移動したときに、前記光路内位置にあるときの位置よりも前記ファインダ光学系側に移動することを特徴とするカメラ。
【発明の詳細な説明】
【０００１】
【発明の属する技術分野】
本発明は、接眼レンズ、正立像形成素子からなるファインダ光学系や焦点板などを備えた１眼レフカメラに関するものである。
【０００２】
【従来の技術】
正立像形成素子などから構成されるファインダ光学系を備えた一眼レフカメラとして、例えば図４に示すようなものが提案されている。（ａ）はカメラの被写体像観察時の状態を示したもので、（ｂ）は撮影時の状態を示したものである。
【０００３】
同図において、５１は後述するミラーを収容するミラーボックスである。５２は、入射光束の一部を正立像形成素子５７に反射し、残りを透過させるハーフミラー特性を有する主ミラーである。
【０００４】
５３は、主ミラー２に対し図示しない回動軸により回動可能に支持された補助ミラーであり、５４は焦点板である。５５は焦点板５４を支持する焦点板支持部材である。
【０００５】
５６は、撮影退避位置へ移動する主ミラー５２の先端部が当接する弾性部材であり、５８は接眼レンズである。５９はアパーチュア、６０は撮影光軸、６１は撮影光路、６２は自動焦点検出装置である。
【０００６】
【特許文献１】
特許第３１７０５４０号明細書
【０００７】
【発明が解決しようとする課題】
上記従来技術は、正立像形成素子５７のうち焦点板５４に対向した反射面を、焦点板５４に対して傾斜して配置することで、正立像形成素子５７を撮影光軸６０側に近づけてカメラの小型化を図ったものである。
【０００８】
ここで、焦点板５４のカメラ７０内における取り付け位置を下げることができれば、カメラをより一層小型化することができる。
【０００９】
しかしながら、（ｂ）に示すように、撮影時において補助ミラー５３は、撮影光路６１にかなり接近した位置に配置されている。
【００１０】
このため、焦点板５４の取り付け位置を下げると、補助ミラー５３が撮影光路６１内に残ってしまい、この状態で撮影動作を行うと、撮影光束が補助ミラー３によってけられてしまう。
【００１１】
【課題を解決するための手段】
上記課題を解決するために、本発明のカメラは、撮影光路内に配置される光路内位置と撮影光路内から退避する退避位置との間で移動可能なミラーユニットと、撮影光路内に配置されたミラーユニットにより導かれた被写体からの光束により被写体像が形成される焦点板と、焦点板上に形成された被写体像を観察するためのファインダ光学系とを有し、焦点板は、ミラーユニットが退避位置に移動したときに、光路内位置にあるときの位置よりもファインダ光学系側に移動することを特徴とする。
【００１２】
【発明の実施の形態】
（第１実施形態）
図１には、本発明の第１実施形態であるカメラの断面図が示されている。同図において、１はミラーボックスである。このミラーボックス１には、ミラーユニット２２が取り付けられている。
【００１３】
ミラーユニット２２は、回転軸２ａに回転可能に支持された主ミラー２とこの主ミラー２に対して回動可能に取り付けられた補助ミラー３とを有しており、被写体観察時に撮影光路１５内における撮影光軸１４上の光路内位置に斜設されている。
【００１４】
主ミラー２は、入射光束の一部を後述する焦点板４に反射し、残りを透過させるハーフミラー特性を有する。
【００１５】
撮影時に主ミラー２は、回転軸２ａを中心として時計回り方向に回転し、撮影光路１５内から退避する。詳細については後述する。
【００１６】
補助ミラー３は、主ミラー２を透過した光束を、カメラ２０の下部に設けられた焦点検出装置１６に反射する。補助ミラー３は、被写体観察時に主ミラー２に対して展開し、撮影時に主ミラー２に対して折り畳まれている。
【００１７】
４は、焦点板であり、この焦点板４上には、主ミラー２により反射された被写体からの光束による被写体像が形成される。焦点板４は、焦点板支持部材５に固定されている。焦点板支持部材５の基端部には、回転軸５ａが取り付けられている。
【００１８】
６は、焦点板支持部材５の先端部に取り付けられた弾性部材であり、この弾性部材６には、撮影退避位置に向かって上動する主ミラー２の先端部が当接する。
【００１９】
７は、ミラーボックス１に固定され、被写体観察時において焦点板４の位置決めを行う位置決めピンである。位置決めピン７は、焦点板支持部材５の先端部に形成された当接面５ｂに当接しており、これにより焦点支持部材５が支持され、被写体観察時における焦点板４の位置決めを可能としている。
【００２０】
８は、回転軸５ａに取り付けられた焦点板支持部材５を反時計回り方向に付勢する付勢バネ（付勢手段）である。
【００２１】
９は、焦点板４に形成された被写体像を左右反転させて正立像にするとともに、この正立像を接眼レンズ１０、１１、１２へ導く正立像形成素子である。正立像形成素子９は、接眼レンズ１０，１１，１２とともにファインダ光学系を構成する。
【００２２】
１３は、ミラーボックス１の後端面に形成された撮影画面の大きさを決めるアパーチュアである。ミラーボックス１の後端部には、アパーチュア１３に対向するように撮影フィルムや、ＣＣＤ、ＣＭＯＳセンサ等の撮像素子（いずれも不図示）が配置される。
【００２３】
撮影光路１５は、アパーチュア１３の高さと同じ高さ方向寸法を有する。
【００２４】
２１は、不図示の撮影レンズを搭載したレンズ鏡筒であり、レンズ鏡筒２１はミラーボックス１の前部のマウント１ａに着脱可能となっている。
【００２５】
次に、本実施形態のカメラ２０の動作について図２を用いて説明する。図２（ａ）は、被写体観察時におけるカメラ２０の断面図を示している。
【００２６】
同図に示すように、主ミラー２及び補助ミラー３は、撮影光路１５内における撮影光軸１４上の光路内位置に斜設されている。
【００２７】
撮影レンズから入射した被写体光束の一部は、主ミラー２によって反射され、焦点板４において結像した後、正立像形成素子９で左右反転され、接眼レンズ１０，１１，１２により観察者の眼に導かれる。
【００２８】
一方、主ミラー２を透過した被写体光束は、補助ミラー３にて反射され自動焦点検出装置１６に到達する。自動焦点検出装置１６は、不図示のレリーズボタンの第１ストローク操作（半押し）に応じて、補助ミラー３から入射した光束により形成される被写体像から撮影レンズの焦点状態を検出し、撮影レンズの被写体に対する合焦動作を行わせる。
【００２９】
この後、レリーズボタンを第２ストローク操作（全押し操作）すると、主ミラー２は、不図示のチャージ機構のチャージ解除によるバネ力を受け、回転軸２ａを中心として時計回り方向に回転し、撮影光軸１４上から離脱する。また、主ミラー２が撮影光軸１４上から離脱すると、補助ミラー３の主ミラー２に対する折り畳み動作が開始され、補助ミラー３も撮影光軸１４上から退避する。
【００３０】
図２（ｂ）に示すように、退避位置に向かって上動する主ミラー２は、その先端部が焦点板支持部材５に取り付けられた弾性部材６に当接する。このように本実施形態では、主ミラー２と焦点板支持部材５とが弾性部材６を介して衝突するため、弾性部材６により衝撃力が吸収され、衝撃音も緩和される。
【００３１】
一方、折りたたみ動作を開始した補助ミラー３は、主ミラー２に対して略平行となる位置まで回転する。
【００３２】
ところで、同図に示した状態では、補助ミラー３の下側が撮影光路１５内に残されているため、このまま撮影動作を行うと、撮影光束が補助ミラー３によってけられてしまう。
【００３３】
そこで、本実施形態では、上方に回動動作する主ミラー２から上方への力を受けた焦点板支持部材５が、上方への回動を可能とすることにより、補助ミラー３を撮影光路１５内から確実に退避させることにしている。
【００３４】
即ち、主ミラー２が、時計回り方向に回転して弾性部材６に当接すると、弾性部材６により焦点板支持部材５が上方に押される。
【００３５】
ここで、上述のように焦点板支持部材５の基端部には、回転軸５ａが設けられている。したがって、焦点板支持部材５は、付勢バネ８から受ける付勢力に逆らいながら回転軸５ａを中心として時計回り方向に回転する。
【００３６】
そして、主ミラー２は、この主ミラー２に折り畳まれた補助ミラー３が退避位置に移動するまで、上動（回転軸２ａを中心として時計回り方向に回転）を継続し、停止する（図２（ｃ））。
【００３７】
このように本実施形態では、主ミラー２から力を受けて焦点板４が上動するように構成されている。このため、撮影時に焦点板４を従来よりも撮影光軸１４に近づけて配置したとしても、撮影時に主ミラー２及び補助ミラー３を、撮影光路１５内から確実に退避させることができる。したがって、カメラの小型化（主として高さ方向の小型化）を図ることができる。
【００３８】
なお、本実施形態では主ミラー２の回転力により焦点板４を上動させたが、例えば焦点板４を駆動する駆動機構を設け、主ミラー２の動きに連動して、駆動機構を駆動して、焦点板４を上動させるようにしてもよい。
【００３９】
撮影が終了し、チャージ機構によって主ミラー２が退避位置から光路内位置へ移動するときは、主ミラー２を回転軸２ａを中心として反時計回り方向に回転させる。
【００４０】
そして、主ミラー２が回転動作を始めると、補助ミラー３の主ミラー２対する展開動作が開始され、上述した図２（ａ）に示す状態に戻る。
【００４１】
一方、それまで主ミラー２によって押し上げられていた焦点板支持部材５は、付勢バネ８の付勢力によって、回転軸５ａを中心として反時計回り方向に回転する。そして、焦点板支持部材５は、その先端部に形成された当接面５ｂが位置決めピン７に当接することにより、回転動作を停止する（図２（ａ））。
【００４２】
なお、本実施形態では、ミラーユニット２２が主ミラー２及び補助ミラー３により構成されているが、焦点検出センサとして撮像素子を使用した場合、主ミラー２だけにしてもよい。
【００４３】
（第２実施形態）
本発明の第２実施形態であるカメラについて図３を用いて説明する。図３は、位置決めピン７と焦点板支持部材５とが当接した状態を示した図であり、（ａ）はこの当接した状態をカメラ２０の横側から、（ｂ）はカメラ２０の正面側から見た図である。
【００４４】
第１実施形態では、ミラーボックス１に位置決めピン７を固定していたが、本実施形態の位置決めピン７は、ミラーボックス１に回転可能に取り付けられた回転軸３０に固定されている。
【００４５】
また、本実施形態では、図３（ｂ）に示すように位置決めピン７の中心軸が回転軸３０の中心軸に対して偏芯している。つまり位置決めピン７は、偏芯カムを構成している。
【００４６】
このため、回転軸３０を回転させることにより、焦点板支持部材５と位置決めピン７との当接位置がカメラ２０の高さ方向に変化する（図３（ａ）参照）。したがって、回転軸３０を回転させることにより、焦点板４の位置を簡単に調整することができる。
【００４７】
以上説明した実施形態は、以下に示す発明を実施した場合の一例でもあり、下記の各発明は上記実施形態に様々な変更や改良が加えられて実施されるものである。
【００４８】
〔発明１〕  撮影光路内に配置される光路内位置と前記撮影光路内から退避する退避位置との間で移動可能なミラーユニットと、
前記撮影光路内に配置されたミラーユニットにより導かれた被写体からの光束により被写体像が形成される焦点板と、
前記焦点板上に形成された被写体像を観察するためのファインダ光学系とを有し、
前記焦点板は、前記ミラーユニットが前記退避位置に移動したときに、前記光路内位置にあるときの位置よりも前記ファインダ光学系側に移動することを特徴とするカメラ。
【００４９】
〔発明２〕  前記焦点板は、前記退避位置へ移動するミラーユニットから力を受けることにより、前記光路内位置にあるときの位置よりも前記ファインダ光学系側に移動することを特徴とする発明１に記載のカメラ。
【００５０】
〔発明３〕  前記焦点板は、カメラ内に回動可能に取り付けられた保持部材に保持されており、前記保持部材が前記ミラーユニットから力を受けて前記ファインダ光学系側に回動することを特徴とする発明１又は２に記載のカメラ。
【００５１】
〔発明４〕  前記保持部材には弾性部材が設けられ、この弾性部材に前記退避位置へ移動する前記ミラーユニットが当接することを特徴とする発明３に記載のカメラ。
【００５２】
〔発明５〕  前記保持部材を前記ミラーユニット側へ付勢する付勢手段を設けるとともに、前記光路内位置にあるときの前記焦点板の位置決めを行う位置決めピンを設けたことを特徴とする発明１から４のいずれかに記載のカメラ。
【００５３】
〔発明６〕  前記位置決めピンにカム機能を持たせて、前記ミラーユニットが光路内位置にあるときの焦点板の位置を、調整可能としたことを特徴とする発明５に記載のカメラ。
【００５４】
【発明の効果】
以上説明したように、本発明によれば、ミラーユニットの撮影退避位置への移動に伴って焦点板をファインダ光学系側に移動させることができるので、焦点板及びファインダ光学系を従来よりも撮影光軸に近づけて配置することができる。したがって、カメラの小型化を図ることができる。
【図面の簡単な説明】
【図１】第１実施形態のカメラの中央断面図
【図２】第１実施形態のカメラの動作を説明する図
【図３】第２実施形態の位置決めピンと焦点板支持部材とが当接した状態を示した図
【図４】従来のカメラの動作を説明する図
【符号の説明】
１  ミラーボックス
２  主ミラー
３  補助ミラー
４  焦点板
５  焦点板支持部材
６  弾性部材
７  位置決めピン
８  付勢バネ
９  正立像形成素子
１０，１１，１２  接眼レンズ
１３  アパーチュア
１４  撮影光軸
１５  撮影光路
１６  自動焦点検出装置
２０  カメラ
２１  レンズ鏡筒
２２  ミラーユニット
３０  回転軸
【図１】
2004246009.tif 000003
【図２】
2004246009.tif 000004
【図３】
2004246009.tif 000005
【図４】
2004246009.tif 000006